(57)【特許請求の範囲】
【請求項１】
表面カバーとベースとより成るケースに内蔵され、撮像角度が調整可能に設けられたカメラを備えたカメラ付きインターホンにおいて、
前記カメラの角度を保持するために設けられ、操作レバーが突出して形成された保持部と、
表面カバーの裏側に保持部と嵌合する複数の溝部を所定間隔に設け、
ベースに設けられ、保持部に形成された操作レバーの端部がはまり込む操作溝を備え、前記操作レバーの端部がはまり込んだ状態で前記操作部をスライド操作すると、前記操作レバーの端部が前記スライド方向に対して直交する方向に移動することによって、前記カメラの角度を調整する操作部を設け、
前記操作部をスライド操作することで、前記操作レバーの端部を前記スライド方向に対して直交する方向に移動させることにより、前記操作レバーを有する前記保持部を、前記複数の溝部のいずれかに嵌合保持させながら、上記直交する方向に回動させることで、カメラの撮像角度を調整できるようにしたことを特徴とするカメラ付インターホン。
【請求項２】
前記複数の溝部は、前記表面カバーの裏側より、前記ベース方向に向かって突出した支持突起の側面に設けられていることを特徴とする請求項１に記載のカメラ付インターホン。
【請求項３】
前記カメラは、カメラユニットに実装され、
前記プリント基板に、前記表面カバーの裏側から前記カメラユニットを取り外すための孔部を設けたことを特徴とする請求項１または２に記載のカメラ付インターホン。
【発明の詳細な説明】
【０００１】
【発明の属する技術分野】
本発明は、撮像角度が調整可能なカメラを備えたカメラ付インターホンにおいて、組立てや分解、調整が容易にできるようにしたものに関する。
【０００２】
【従来の技術】
従来より、カメラの撮像角度を調整できるようにした、カメラ付インターホンが提案されている。
図８（ａ）は、このような従来のカメラ付インターホンの一例を示す部分破断断面図、図８（ｂ）は図８（ａ）に示すカメラ付インターホンのＡ−Ａ線に沿う断面図である。
【０００３】
図８（ａ）、（ｂ）において、１０１はカメラ付インターホン、１０２はベース、１０３はベース１０２に着脱自在に取り付けられた表面カバー、１０４はカメラ、１０５はカメラ１０４と照射ランプ１０６とを実装したカメラユニット、１０７はカメラユニット１０５を実装したプリント基板、１０８はプリント基板１０５の左右両端部に取り付けられた可動アーム、１０９は可動アーム１０８が水平軸１１０を介して回動自在に取り付けられる保持部材、１１１、１１２はワッシャ、１１３はスペーサ、１１４、１１５は固定鋲である。
【０００４】
可動アーム１０８のうち一方（図８（ｂ）では左側）は、下方に作動レバー１１６が延設されるとともに、上方には、ばね１１７を係止するための突起１１８が突設されている。この作動レバー１１６にはナット部材１２１が設置され、調整ネジ１１９を回転させることにより、ナット部材１２１がＢ←→Ｃ方向に移動するのに伴って、作動レバー１１６が水平軸１１０を中心として、ほぼＢ←→Ｃ方向に回転するような構造になっている。
【０００５】
したがって、操作者が、調整ネジ１１９をドライバーを使って回転操作し、ナット部材１２１を矢印Ｂ←→Ｃ方向に移動させることによって、カメラユニット１０５を水平軸１１０を中心として上下方向に傾動させて、撮像角度を調整することができる。
【０００６】
【発明が解決しようとする課題】
しかしながら、上記、従来のカメラ付インターホンでは、図８（ａ）に示すように、カメラユニットは、ベース側に設けられた保持部材によって保持され、操作者が、表面カバー側に設けられた調整ネジを回転操作することによって、カメラユニットを水平軸を中心として上下方向に傾動させて、撮像角度を調整するようになっているので、装置の構造が複雑でコストが高くつくという欠点があった。
【０００７】
またベース側に設けられた作動レバーと、表面カバー側に設けられた調整ネジがネジ嵌合しているので、ベースと表面カバーを分離させるのに、ナット部材と調整ネジのネジ嵌合を外す必要があり、装置の組立てや分解が困難かつ面倒であり、またネジ嵌合をいったん外すと、調整ネジで再び撮像角度の調整が必要となるといった問題があった。
【０００８】
本発明は、上記の問題を解決するためになされたものであり、装置の構造を簡単にしてコストダウンが図れ、撮像角度の再調整が不要であって、組立てや分解が容易にできるカメラ付インターホンを提供することを目的としている。
【０００９】
【課題を解決するための手段】
上記目的を達成するために提案される請求項１に記載のカメラ付インターホンでは、カメラの角度を保持するために設けられ、操作レバーが突出して形成された保持部と、表面カバーの裏側に保持部と嵌合する複数の溝部を所定間隔に設け、ベースに設けられ、保持部に形成された操作レバーの端部がはまり込む操作溝を備え、操作レバーの端部がはまり込んだ状態で操作部をスライド操作すると、操作レバーの端部がスライド方向に対して直交する方向に移動することによって、カメラの角度を調整する操作部を設け、操作部をスライド操作することで、操作レバーの端部をスライド方向に対して直交する方向に移動させることにより、操作レバーを有する保持部を、複数の溝部のいずれかに嵌合保持させながら、直交する方向に回動させることで、カメラの撮像角度を調整できるようにしたことを特徴とする。
【００１０】
請求項２に記載のカメラ付インターホンは、請求項１に記載のカメラ付インターホンおいて、前記複数の溝部は、前記表面カバーの裏側より、前記ベース方向に向かって突出した支持突起の側面に設けられていることを特徴としている。
請求項３に記載のカメラ付インターホンは、請求項１または請求項２に記載のカメラ付インターホンにおいて、前記カメラは、カメラユニットに実装され、前記カメラユニットは、プリント基板に実装され、前記プリント基板に、前記表面カバーの裏側から前記カメラユニットを取り外すための孔部を設けたことを特徴としている。
【００１１】
【発明の実施の形態】
以下に、本発明の実施の形態について、図面を用いて説明する。
図１は、本発明のカメラ付インターホンの一例の外観を示す正面図である。
カメラ付インターホン１はベース（不図示）に表面カバー３を被せた状態であり、表面カバー３はベースに着脱可能となっている。４はカメラ、５はカメラ４と照射ランプ６とを実装したカメラユニットである。
【００１２】
訪問者が、押釦９を押し操作すると、照射ランプ６が照射し、適当な角度に設定されたカメラ４で撮像するようになっている。
図２は、カメラユニットの回転支持構造を示す横断面図である。
図２は、図１に示すカメラ付インターホン１を装置内部の下から上方向に見たものであり、カメラユニット５が表面カバー３に取り付けられている様子を示したものであるので、図１と同一要素については、同じ符号を付して説明を省略する。
【００１３】
図において、３Ａは表面カバー３の裏面からベース（図示せず）の方向に突出し保持部８を回転支持するための一対の支持突起、７はカメラユニット５を実装したプリント基板、７Ａは、プリント基板７に設けられて、ドライバーＤを差し込むことによって、カメラユニット５を表面カバー３から取り外すための孔部である。ドライバーＤを孔部７Ａに差し込むと、ドライバーＤの先端が保持部８と支持突起３Ａとの間に嵌まり込み、保持部８は図２において左方向に、支持突起３Ａは図２において右方向にたわみ、取り外しができるようになっている。
【００１４】
このように、カメラユニットと表面カバーは簡単に着脱することができ、組み立て・分解が簡単である。
カメラユニット５の一対の保持部８の軸状突起８Ａは、支持突起３Ａの軸穴３Ｂに嵌まり込んでおり、カメラユニット５とプリント基板７は一体的に軸穴３Ｂを中心として回転可能となっている。カメラユニット５には、さらにレバー１０がその一端に突出しており、このレバー１０を操作することによって、カメラユニット５全体を回転させることができる。
【００１５】
図３は、カメラユニット５の要部を示す図であり、（ａ）はカメラユニット５の正面図、（ｂ）はそのＢ方向から見た側面図である。図４は表面カバーの支持突起とカメラユニットの保持部の嵌合構造を説明する模式図であり、（ａ）は支持突起の溝部の詳細、（ｂ）は保持部の嵌合突起の詳細を示している。
図２に示すカメラユニット５の保持構造と同一要素については、同じ符号を付して詳しい説明を省略する。
【００１６】
支持突起３Ａにおいて、３Ｃは、軸穴３Ｂを中心として、円弧状に所定の間隔で設けられた溝部である。保持部８において、８Ａは支持突起３Ａに設けた軸穴３Ｂに嵌まり込む軸状突起、８Ｂは支持突起３Ａに設けた複数の溝部３Ｃに嵌合する嵌合突起である。
保持部８は、軸穴３Ｂを中心とし、嵌合突起８Ｂが複数の溝部３Ｃのいずれかに嵌合しながら、矢印Ｃ１−Ｃ２の間を回動する。
【００１７】
嵌合突起８Ｂと溝部３Ｃは、材料の弾性力によって、互いに嵌まり込むようになっているので、いったん嵌まり込むと、その係合位置を維持している。したがって、嵌まり込みの状態で放置しておいても、カメラユニットの傾斜角度は保持される。
なお、嵌合突起８Ｂは、本発明では、図３（ｂ）において左側の一箇所だけ設けているが、左右両側の二箇所に設けてもよいということは言うまでもない。
【００１８】
図５は、操作部の構造の一例を示す正面図である。ベース２のスライド部に取りつけられた時には、この面は、装置の内側となる。操作部１１には、カメラユニット５のレバー１０の端部が嵌まり込む操作溝１１Ａ、１１Ｂ、１１Ｃが形成されており、この操作部１１を矢印方向にスライドさせると、その操作溝１１Ａ〜１１Ｃに連続的に嵌まり込んだ状態で、レバー１０の端部は、上下することになる。
【００１９】
図６は、表面カバー、カメラユニット、操作部、ベースの組み付け関係を模式的に示す図であり、（ａ）はその部分縦断面図、（ｂ）はその横断面図である。図において、これまで説明した構成要素については、同じ符号をつけて説明を省略する。
表面カバー３に支持されたカメラユニット５のレバー１０は、操作部１１が図の矢印方向にスライドするように取りつけてあるベース２に、表面カバー３を取りつけると、操作部１１の操作溝１１Ａ（１１Ｂ、１１Ｃ）に嵌まり込むようになっている。また、表面カバー３を取り外すと、簡単にレバー１０と操作溝１１Ａ（１１Ｂ、１１Ｃ）の嵌まり込みも外れる。しかも、すでに図４で説明したように、カメラユニット５は、表面カバー３とベース２を分離させた状態でも、その傾斜角度を保持する。
【００２０】
このようにして、本発明のカメラ付インターホンでは、修理などのために、表面カバーとベースとを分離させても、カメラの撮像角度は、維持されたままなので、再組み立てしたときに、角度の再調整をする必要がない。
図７は、本発明のカメラ付インターホンにおいて、カメラの撮像角度の調整方法の一例を説明する図であり、（ａ）はカメラユニットを上向きにしたときの様子を示す部分縦断面図、（ｂ）はその時の操作部の位置を装置の裏側から見た部分模式図、（ｃ）はカメラユニットを水平にしたときの様子を示す部分縦断面図、（ｄ）はその時の操作部の位置を装置の裏側から見た部分模式図である。図において、これまで説明した構成要素については、同じ符号をつけて説明を省略する。
【００２１】
図７（ａ）、（ｂ）に示すように、操作部１１をカメラ付インターホン１の裏側から見て左方向いっぱいにスライドさせると、レバー１０の端部は操作部１１の操作溝１１Ａに嵌まり込み、カメラユニット５は上方向いっぱいを向くようになる。このとき図４で示すように、嵌合突起８Ｂは、支持突起３Ａに設けられた複数の溝部３Ｃの最下段と嵌合している。
【００２２】
次に、操作部１１をカメラ付インターホン１の裏側から見て右方向にスライドさせていくと、レバー１０は操作部１１の操作溝１１Ａ、１１Ｂ、１１Ｃに沿って押し上げられながら、カメラユニット５が下方向を向くように上昇していく。このとき、カメラユニット５が下方向に回動するのにしたがって、嵌合突起８Ｂは支持突起３Ａに設けられた複数の溝部３Ｃに順に嵌合していく。
【００２３】
続けて、図７（ｃ）、（ｄ）に示すように、操作部１１をカメラ付インターホン１の裏側から見て右方向いっぱいにスライドさせると、レバー１０は操作部１１の操作溝１１Ｃに収容され、カメラユニット５は水平方向を向くようになる。このとき、嵌合突起８Ｂは、支持突起３Ａに設けられた複数の溝部３Ｃの最上段と嵌合している。
【００２４】
このようにすると、非常に簡単な構造によって、カメラの撮像角度をその都度嵌合保持させながら、調整することができるので、装置のコストダウンを図ることができる。
【００２５】
【発明の効果】
以上の説明から理解できるように、請求項１に記載のカメラ付インターホンによれば、カメラの角度を保持する保持部を表面カバーの裏側に、カメラの角度を調整する操作部をベース側に設けているので、ベースを外した状態でも、カメラユニットが回転自在にならず、組立てや分解した後に、カメラ角度の再調製が不要になる。
【００２６】
請求項２に記載のカメラ付インターホンによれば、請求項１に記載のカメラ付インターホンの効果に加えて、複数の溝部は、表面カバーの裏側より、ベース方向に向かって突出した支持突起の側面に設けられているので、カメラユニットの回転支持と角度保持とが同時にでき、カメラ角度の調製の機構が非常に簡単になり、コストダウンを図ることができる。
【００２７】
請求項３に記載のカメラ付インターホンによれば、請求項１または請求項２に記載のカメラ付インターホンの効果に加えて、プリント基板に、表面カバーの裏側からカメラユニットを取り外すための孔部を設けているので、カメラユニットの分解がより容易にできる。
【図面の簡単な説明】
【図１】本発明のカメラ付インターホンの一例の外観を示す正面図である。
【図２】カメラユニットの回転支持構造を示す横断面図である。
【図３】カメラユニットの要部を示す図であり、（ａ）はカメラユニットの正面図、（ｂ）はそのＢ方向から見た側面図である。
【図４】表面カバーの支持突起とカメラユニットの保持部の嵌合構造を説明する模式図であり、（ａ）は支持突起の溝部の詳細、（ｂ）は保持部の嵌合突起の詳細を示している。
【図５】操作部の構造の一例を示す正面図である。
【図６】表面カバー、カメラユニット、操作部、ベースの組み付け関係を模式的に示す図であり、（ａ）はその部分縦断面図、（ｂ）はその横断面図である。
【図７】本発明のカメラ付インターホンにおいて、カメラの撮像角度の調整方法の一例を説明する図であり、（ａ）はカメラユニットを上向きにしたときの様子を示す部分縦断面図、（ｂ）はその時の操作部の位置を装置の裏側から見た部分模式図、（ｃ）はカメラユニットを水平にしたときの様子を示す部分縦断面図、（ｄ）はその時の操作部の位置を装置の裏側から見た部分模式図である。
【図８】（ａ）は従来のカメラ付インターホンの一例を示す部分破断断面図、（ｂ）は（ａ）に示すカメラ付インターホンのＡ−Ａ線に沿う断面図である。
【符号の説明】
１        カメラ付インターホン
２        ベース
３        表面カバー
３Ａ      支持突起
３Ｃ      溝部
４        カメラ
５        カメラユニット
７        プリント基板
７Ａ      孔部
８        保持部
１１      操作部
【図１】
0003587028.tif 000002
【図２】
0003587028.tif 000003
【図３】
0003587028.tif 000004
【図４】
0003587028.tif 000005
【図５】
0003587028.tif 000006
【図６】
0003587028.tif 000007
【図７】
0003587028.tif 000008
【図８】
0003587028.tif 000009